(57)【特許請求の範囲】
【請求項１】
上面開口の本体周壁(６)を有するコンパクト本体(２)と、
上記本体周壁(６)の上面を覆うとともに当該本体周壁(６)の開口面を開閉自在にコンパクト本体(２)の後部へ枢着させた蓋体(２０)と、
を具備しており、かつ前方から見て上記コンパクト本体(２)と蓋体(２０)とは左右方向に同巾であるコンパクト容器において、
閉蓋状態の蓋体(２０)の左右方向の側面(２４)の少なくとも後部を覆うように上記本体周壁(６)上面の左右側縁部の少なくとも後部から左右一対の指当て板部(１６)を起立しており、
上記蓋体(２０)の左右方向の側面(２４)は、その前側部分である第１面部(２４ａ)から、段差面(２４ｃ)を介して、当該側面(２４)の後側部分である第２面部(２４ｂ)を内方へ凹没させてなるとともに、
この第２面部(２４ｂ)が上記指当て板部(１６)で覆われるように設け、
上記第１面部(２４ａ)と指当て板部(１６)の外面とが上方から見てほぼ面一になるように形成したことを特徴とする、コンパクト容器。
【請求項２】
上記本体周壁(６)の左右一対の側壁部(６ｃ)の上端面のうち、内側部分を蓋体(２０)下面と向かい合う閉塞面部(８ａ)とするとともに、外側部分を上述の側縁部として指当て板部(１６)に連続させたことを特徴とする、請求項１に記載のコンパクト容器。
【請求項３】
上記指当て板部(１６)の前端面(１６ａ)を、後側上縁から前下方へ傾斜する斜面に形成したことを特徴とする、請求項１又は請求項２に記載のコンパクト容器。
【請求項４】
上記指当て板部(１６)が、本体周壁(６)の左右側縁部の後部から前端寄りに延びるように設けたことを特徴とする、請求項１から請求項３の何れかに記載のコンパクト容器。
【発明の詳細な説明】
【技術分野】
【０００１】
本発明は、コンパクト容器に関する。
【背景技術】
【０００２】
この種コンパクト容器として、コンパクト本体の後部に蓋体を枢着させ、コンパクト本体の前部に組み込んだ押釦を押すことで、蓋体及びコンパクト本体の各前部を連結するロック機構を解除し、蓋体の周面に指を掛けて蓋体を開くように構成したものが知られている（特許文献１）。
【先行技術文献】
【特許文献】
【０００３】
【特許文献１】特開２０１３−１７９９９６
【発明の概要】
【発明が解決しようとする課題】
【０００４】
特許文献１のコンパクト容器を一方の手の上に載せて開蓋操作を行うときにその手の指が蓋体の左右側面に触れており、その指との摩擦力により、開蓋操作の邪魔になることがあった。
こうした不都合を回避するために、例えばコンパクト本体に対して蓋体を開方向に付勢する付勢手段を蓋体の枢着部に組み込み、押釦を押すと蓋体が自動的に開くようにすることもできるが、構造が複雑となるという問題点がある。
【０００５】
本発明の目的は、蓋体を手で開くときにコンパクト本体を支える手の指が蓋体に触れて開蓋操作の邪魔にならないようにしたコンパクト容器を提供することである。
【課題を解決するための手段】
【０００６】
第１の手段は、上面開口の本体周壁６を有するコンパクト本体２と、
上記本体周壁６の上面を覆うとともに当該本体周壁６の開口面を開閉自在にコンパクト本体２の後部へ枢着させた蓋体２０と、
を具備しており、かつ前方から見て上記コンパクト本体２と蓋体２０とは左右方向に同巾であるコンパクト容器において、
閉蓋状態の蓋体２０の左右方向の側面２４の少なくとも後部を覆うように上記本体周壁６上面の左右側縁部の少なくとも後部から左右一対の指当て板部１６を起立しており、
上記蓋体２０の左右方向の側面２４は、その前側部分である第１面部２４ａから、段差面２４ｃを介して、当該側面２４の後側部分である第２面部２４ｂを内方へ凹没させてなるとともに、
この第２面部２４ｂが上記指当て板部１６で覆われるように設け、
上記第１面部２４ａと指当て板部１６の外面とが上方から見てほぼ面一になるように形成している。
【０００７】
本手段では、図４乃至図６に示すように本体周壁６上面の左右側縁部の少なくとも後部から左右一対の指当て板部１６を起立している。各指当て板部１６は、蓋体の左右方向の側面の少なくとも後部を覆っており、コンパクト容器を手の平に載せて支えるときに、その手の２本の指で指当て板部１６の外側に当ててコンパクト容器を持つことができるようにしている。これにより、指が蓋体２０の側面に触れることを防止できるので、蓋体の開蓋操作の邪魔になることがない。
なお、上記指当て板部を本体周壁６の左右側縁部の後部側に設けた理由は、デザイン性や使用性を考慮したことである。また、「左右一対の指当て板部」には、左右に設けた指当て板部の位置や大きさがそれぞれ異なっている形態のものも含まれるものとする。
【０００９】
また本手段では、図４乃至図６に示すように蓋体２０の左右方向の側面２４の前側部分である第１面部２４ａから段差面２４ｃを介して、当該側面２４の後側部分である第２面部２４ｂを内方へ凹没させるように形成している。そしてこの第２面部２４ｂが指当て板部１６で覆われるように設け、例えば図１に示すように、上記第１面部２４ａと指当て板部１６の外面とがほぼ面一になるように形成している。
【００１０】
第２の手段は、第１の手段を有し、かつ
上記本体周壁６の左右一対の側壁部６ｃの上端面のうち、内側部分を蓋体２０下面と向かい合う閉塞面部８ａとするとともに、外側部分を上述の側縁部として指当て板部１６に連続させている。
【００１１】
本手段では、図４乃至図６に示す本体周壁６の左右一対の側壁部６ｃの上端面のうち、内側部分を蓋体２０下面と向かい合う閉塞面部８ａとしており、コンパクト本体２と蓋体２０との密閉性を損なわないようにしている。そして上記上端面の外側部分を上述の側縁部として指当て板部１６に連続させている。
【００１２】
第３の手段は、第１の手段又は第２の手段を有し、かつ
上記指当て板部１６の前端面１６ａを、後側上縁から前下方へ傾斜する斜面に形成している。
【００１３】
本手段では、例えば図１に示すように、指当て板部１６の前端面１６ａを、後側上縁から前下方へ傾斜する斜面に形成している。これにより、軸部２８を介する蓋体２０の回転がスムーズとなる。
【００１４】
第４の手段は、第１の手段から第３の手段の何れかを有し、かつ
上記指当て板部１６が、本体周壁６の左右側縁部の後部から前端寄りに延びるように設けている。
【００１５】
本手段では、図６に示すように、指当て板部１６が、本体周壁６の左右側縁部の後部から前端寄りに延びるように設けることを提案している。これにより、指当て板部１６へ指を当てることができる場所の範囲が広がる。
【発明の効果】
【００１６】
第１の手段に係る発明によれば、蓋体２０の左右方向の側面２４の少なくとも後部を覆うように上記本体周壁６上面の左右側縁部の少なくとも後部から左右一対の指当て板部１６を起立したから、コンパクト容器を手の平に載せ、その手の２本指を指当て板部１６に当てて開蓋操作をすることができ、その指が蓋体に触れて開蓋の邪魔になることがないので、使い勝手がよい。
また第１の手段に係る発明によれば、蓋体２０の左右方向の側面２４の前側の第１面部２４ａと指当て板部１６とが上方から見てほぼ面一になるように形成したから、コンパクト容器の側面を手で触れたときの手触りが悪くならない。
第２の手段に係る発明によれば、上記本体周壁６の左右一対の側壁部６ｃの上端面のうち、内側部分を蓋体２０下面と向かい合う閉塞面部８ａとしたから、蓋体２０の密閉性を損なわない。
第３の手段に係る発明によれば、指当て板部１６の前端部を、後側上縁から前下方へ傾斜する斜面に形成したから、蓋体２０の開閉操作がスムーズとなる。
第４の手段に係る発明によれば、指当て板部１６が、本体周壁６の左右側縁部の後部から前端寄りに延びるように設けたから、指当て板部１６を指で支える場所の範囲が広がる。
【図面の簡単な説明】
【００１７】
【図１】本発明の第１実施形態に係るコンパクト容器の側面図である。
【図２】図１のコンパクト容器の斜視図である。
【図３】図１のコンパクト容器の開蓋状態の正面図である。
【図４】図１のコンパクト容器の開蓋状態の斜視図である。
【図５】本発明の第２実施形態に係るコンパクト容器の斜視図である。
【図６】図５のコンパクト容器の開蓋状態の斜視図である。
【発明を実施するための最良の形態】
【００１８】
図１から図４は、本発明の第１実施形態に係るコンパクト容器を示している。
【００１９】
このコンパクト容器は、コンパクト本体２と、蓋体２０と、押釦３２とで構成されている。各部材は、例えば合成樹脂材で形成することができる。説明の都合上、このコンパクト容器の基本的構成を始めに解説する。
明細書においては、便宜的に、図１の右側（蓋体の軸部がある側）を後方、図１の左側を前方、前後方向に直交する方向を左右方向というものとする。
【００２０】
コンパクト本体２は、底壁４の外周から平行な左右一対の側壁部６ｃを含む本体周壁６を起立している。図示例においては、底壁４は矩形としており、本体周壁６を４角筒状としているが、その形状は適宜変更することができる。本体周壁６の後壁部６ｂでは長手方向の中間部を切り欠き、その切り欠き面に軸孔を穿設して、軸受部１０に形成している。また本体周壁６の前壁部６ａの長手方向中間部を凹設して、押釦収納部１２を形成している。
【００２１】
蓋体２０は、本体周壁６の上面を覆いかつ一定の厚みを有する蓋板２２の後部から垂下脚２６を垂設し、この垂下脚２６を軸部２８を介して上記軸受部１０へ軸着している。蓋板２２の下面外周部は、上記本体周壁６の上端面に当接している。上記蓋板２２の裏面には鏡２３を貼着している。上記蓋板２２の前部からフック３０を下方突出している。
【００２２】
押釦３２は、上記押釦収納部１２内に水平な回転軸の周りを揺動可能に挿入されている。押釦３２の上面には、蓋体２０のフック３０を挿入することでロック可能なフック受部３４を形成しており、押釦３２の前面を押して押釦３２を揺動させることで上記ロックを解除できるように形成している。
【００２３】
本発明では、左右の側壁部６ｃから、蓋体２０の左右方向の側面２４の後部を覆う指当て板部１６を起立している。図示の指当て板部１６は、蓋板２２の上面より上方へ突出しないように、蓋板２２の厚みと同程度に起立している。
【００２４】
本実施形態では、蓋体２０の左右方向の側面２４の前側部分である第１面部２４ａから、段差面２４ｃを介して、当該側面２４の後側部分である第２面部２４ｂを内方へ凹没させている。また本体周壁６の左右一対の側壁部６ｃの上端面８の外側部分から一対の指当て板部１６を起立している。これにより、図２に示すように、蓋体２０の第１面部２４ａと指当て板部１６の外面とがほぼ面一になるようにしている。
【００２５】
指当て板部１６は、側壁部６ｃの後部に設けている。
もっとも参考例として、指当て板部１６を側壁部の前後方向中間部又は側壁部に設けてもよい。このような配置とするときには、蓋体２０の側面２４のうちで凹没させた第２面部の位置も指当て板部の位置に対応して変更させるとよい。また右側の指当て板部と左側の指当て板部とは同じ位置に設ける必要はなく、相互に前後方向にずれた位置に設けてもよい。
指当て板部１６の形状は、側壁部から上方に向けて、三角形や台形・長方形などの略角形状、或いは略半円形・半楕円形など、指当ての役目を果たす限り、どのような形状でもよい。
指当て板部１６の大きさも指に掛かる範囲のものであればどの程度でもよい。
【００２６】
上記側壁部６ｃの上端面８の内側部分を蓋体２０下面と向かい合う閉塞面部８ａとしている。これにより、蓋体２０の閉蓋時のコンパクト容器の密閉性を担保している。
【００２７】
さらに上記指当て板部１６の前端面１６ａは、後側上縁から前下方へ傾斜する斜面に形成されている。具体的には、図１に示すように、軸部２８を中心として前端面１６ａの上端を通る円弧Ｃ２よりも軸部２８を中心として前端面１６ａの下端を通る円弧Ｃ１が大径となるように前端面の傾斜を設定する。これにより、軸部２８を中心として蓋体２０を回転させるときに、蓋体２０の段差面２４ｃが指当て板部１６の前端面に引っ掛からないようにしている。
【００２８】
本発明のコンパクト容器を使用するときには、コンパクト本体２を手の平に載せると共に、その手の２本指をそれぞれ一対の指当て板部１６の外側に当てることでコンパクト容器を支持する。そして押釦３２を押して蓋体２０のフック３０とフック受部３４とのロックを解除し、蓋体２０の前部を上に押し上げる。このときに２本の指は指当て板部１６の外面に当てているので、蓋体２０の側面に触れることがなく、開蓋操作の邪魔になることがない。
【００２９】
以下本発明の他の実施形態を説明する。これらの説明の説明において第１実施形態と同じ構成については解説を省略する。
【００３０】
図５から図６は、本発明の第２実施形態に係るコンパクト容器を示している。
指当て板部１６が、コンパクト本体２の左右側縁部の後部から前端寄りに延びるように設けている。これにより、一対の指当て板部１６の外側から指を当てて支持するときに、指を当てる場所の自由度が広がる。
【符号の説明】
【００３１】
２…コンパクト本体  ４…底壁  ６…本体周壁  ６ａ…前壁部  ６ｂ…後壁部
６ｃ…側壁部
８…上端面  ８ａ…閉塞面部
１０…軸受部  １２…押釦収納部  １４…仕切り壁部
１６…指当て板部  １６ａ…前端面  １６ｂ…後端面  １６ｃ…上端面
１８…押釦  
２０…蓋体  ２２…蓋板  ２３…鏡
２４…側面  ２４ａ…第１面  ２４ｂ…第２面  ２４ｃ…段差面
２６…垂下脚  ２８…軸部  ３０…フック
３２…押釦  ３４…フック受部
【図１】
0006521376.tif 000002
【図２】
0006521376.tif 000003
【図３】
0006521376.tif 000004
【図４】
0006521376.tif 000005
【図５】
0006521376.tif 000006
【図６】
0006521376.tif 000007